(57)【要約】【目的】  回動時の保持を行い適度な開閉トルクを得ると共に、開閉時の不意の脱落を防ぎ且つ、電池蓋の回動軸の着脱時には適度なクリック感を持たせられる電池蓋機構を提供する。【構成】  電池を収納し、電池が挿脱される開口が形成された電池ケースを外部に対して隠見可能な電池蓋機構において、弾性部材４の折曲片４ｄと電池ケース内部部材３の凸形状部３ａとの間にシート部材５が配置され、前記電池蓋１の回動軸１ａが電池ケース外形部材２の後部壁面に設けられた円弧形状の回動ガイド形状部２ａに前記弾性部材４で圧着され、前記弾性部材４の変形によって前記電池蓋１の着脱を可能にした。【選択図】図１
2008027637.tif 000002
【特許請求の範囲】
【請求項１】
電池を収納し、電池が挿脱される開口が形成された電池ケースを外部に対して隠見可能な電池蓋機構において、該電池蓋の回動軸が電池ケース外形部材の後部壁面に設けられた円弧形状の回動ガイド形状部に弾性部材で圧着され、該弾性部材の変形によって該電池蓋の着脱が可能なことを特徴とする電池蓋機構。
【請求項２】
前記弾性部材の折曲片と電池ケース内部部材の凸形状部との間に、シート部材が配置されていることを特徴とする請求項１に記載の電池蓋機構。
【発明の詳細な説明】
【技術分野】
【０００１】
本発明は、電池を収納し、電池が挿脱される開口が形成された電池ケースを外部に対して隠見可能とする電池蓋機構に関する。
【背景技術】
【０００２】
従来、電池蓋機構においては開口部に蓋体を単に嵌め込む構造のものが知られている。しかし、ガタ防止に関しては不十分であったので、電池収納室の蓋体をワンタッチで装着でき且つ蓋体のガタを防止するための方法を提案した特開平９−１７１２１１号公報がある。
【０００３】
図４に示されるように、上記特開平９−１７１２１１号公報は電池収納室２２と、弾性部材からなる把持用のグリップ部１５とを有する電池使用機器１１において、電池収納室２２を開閉する蓋体２７の一部２７ｂを、この電池収納室２２を閉じた状態において、グリップ部１５の一部に弾接させ、該グリップ部１５の弾性により蓋体２７の遊びを取るように構成したものである。
【０００４】
また、蓋の一部に形成した係止爪を弾性変形させて筐体に係止させる手段を用いたものが知られているが、ロックの確実性と解除の容易性を両立させることが困難である。そこで、保護用の蓋がロックの確実性と解除の容易性を兼ね備え且つ、構成が簡単で小型に形成可能な電池蓋機構を提案した特開２００５−５３０９号公報がある。
【０００５】
図５に示されるように、上記特開２００５−５３０９号公報は筐体１１の一部に配置された格納室２０を閉鎖可能な如く上記筐体１１に設けられた支軸３３に対し回動自在に軸支された蓋３１と、この蓋３１を前記支軸３３のスラスト方向の第一の位置Ｐ１と第二の位置Ｐ２との間をスライド可能に保持するスライド機構ＳＭと、このスライド機構ＳＭによりスライド可能に保持された前記蓋３１を前記第一の位置Ｐ１方向へ付勢する付勢部材３５と、前記蓋３１が前記格納室２０を閉鎖する閉鎖位置ＣＰにおいて前記第一の位置Ｐ１へ移動したとき当該蓋３１を開放不能な状態にロックし、前駆蓋３１が上記閉鎖位置ＣＰにおいて前記第二の位置Ｐ２へ移動したとき当該蓋３１を開放可能な状態にアンロックするロック機構ＬＣとを備えたものである。
【特許文献１】特開平９−１７１２１１号公報
【特許文献２】特開２００５−５３０９号公報
【発明の開示】
【発明が解決しようとする課題】
【０００６】
しかしながら、上記特開平９−１７１２１１号公報に提案の方法では電池収納室の開口部に装着した蓋体２７の一部２７ｂをグリップ部１５の一部に弾接させ、蓋体２７の遊びを取るよう構成されており蓋体をワンタッチで装着できるが、ある一定の位置まで持ち上げた際、不意に蓋体２７が開口部から外れてしまう虞がある。
【０００７】
また、上記特開２００５−５３０９号公報に提案の方法では蓋３１の係合用突部３４と筐体１１の係合用凹部２４との係合を解除するために、該蓋３１を回動自在に軸支している支軸３３のスラスト方向の第一の位置Ｐ１と第２の位置Ｐ２間を移動可能に付勢されたコイルスプリング３５が設けられており、不意に脱落するといった問題はないものの、蓋の回動軸径を太くせざるを得ず、大型の電子機器では有効な機構ではあるが、小型化や、緻密感の要求される小型の電子機器においては、採用が困難な機構となっている。
【課題を解決するための手段】
【０００８】
上記課題を解決するために、本発明の請求項１に係る発明は、電池を収納し、電池が挿脱される開口が形成された電池ケースを外部に対して隠見可能な電池蓋機構において、該電池蓋の回動軸が電池ケース外形部材の後部壁面に設けられた円弧形状の回動ガイド形状部に弾性部材で圧着され、該弾性部材の変形によって該電池蓋の着脱が可能なことを特徴とするものである。
【０００９】
本発明の請求項２に係る発明は、前記弾性部材の折曲片と電池ケース内部部材の凸形状部との間に、シート部材が配置されていることを特徴とするものである。
【発明の効果】
【００１０】
本発明の電池蓋機構においては、弾性部材で電池蓋の回動軸を電池ケース外形部材の後部壁面に設けられた円弧形状の回動ガイド形状部に圧着させることにより、スムーズな該電池蓋の回動が可能となるとともに、着脱時には、該弾性部材が弾性変形することにより、適度なクリック感を持たせた該電池蓋の着脱が可能となる。また、この適度なクリック感により、該電池蓋が不意に外れるといった事故を防ぐことも可能となる。
【発明を実施するための最良の形態】
【００１１】
以下、図面等を参照して本発明の最も良好な実施形態を説明する。
【００１２】
図１は本発明における電池蓋機構の組み立て斜視図であって、図２は本発明における電池蓋機構のシート部材が装着された様子を示した斜視図である。図３は本発明における電池蓋機構の回動軸の位置を示した断面図である。
【００１３】
図１において、１は回動軸を中心に開閉可能に設けられた電池蓋、２は電池ケース内部部材を覆っている電池ケース外形部材、３は該電池ケース外形部材に取り付けられる電池ケース内部部材、４は薄板金属からなる弾性部材、５は電池ケース外形部材２の開放部を背面から覆うシート部材、６は弾性部材４を電池ケース内部部材２に取り付けるためのビスである。
【００１４】
次に、本発明の電池蓋機構の装着方法を説明する。図１に図示されるように、弾性部材４を取り付けるために、弾性部材４の右孔４ｂ、左孔４ｃに電池ケース内部部材３の右突部３ｂ、左突部３ｃを嵌入させ、弾性部材４の折曲片４ｄと電池ケース内部部材３の凸形状部３ａとの間にシート部材５を挟み込み、弾性部材４の中央孔４ａをビス６によって挿通し固定させる。そして、電池蓋１の回動軸１ａを弾性部材４に押し込み、回動ガイド形状部２ａに圧着させる。これにより、使用者は電池蓋１の把持用つまみ部１ｂを指で摘むことで電池蓋１を開閉させることができる。
【００１５】
図３では、電池蓋１の回動軸１ａがＡの位置にある時はそのままの状態では回動ガイド形状部２ａに固定することが困難である。従って、前述した通り、電池蓋１の回動軸１ａで弾性部材４を押し込むことで、電池ケース外形部材２との間隔が広がり、電池蓋１の回動軸１ａをＢの位置まで押し込むことが可能となる。また、電池蓋１の回動軸１ａがＢの位置にある時は電池蓋１の回動軸１ａは弾性部材４のバネ性により電池ケース外形部材２の回動ガイド形状部２ａに圧着され、位置が保持される。
【００１６】
この図３のＢの位置にある状態においては、電池蓋１の回動軸１ａは弾性部材４により回動ガイド形状部２ａに圧着されているので、問題なく開閉することが可能である。また、電池蓋１が無理に開かれた場合には、弾性部材４が弾性変形し、電池蓋１の回動軸１ａ及び電池ケース外形部材２を保護するために破損を免れることができる。
【００１７】
Ｂの位置で保持された状態である電池蓋１の回動軸１ａを電池ケース外形部材２の回動ガイド形状部２ａから取り外す際は、電池蓋１の回動軸１ａで弾性部材４を押し込むことにより電池蓋１の回動軸１ａが通る隙間を確保し、弾性部材４のバネ性により、適度なトルクを保って取り外すことができる。
【００１８】
また、電池ケース外形部材２と弾性部材４の隙間から電池ケース内部部材３を視認することができるため、当該隙間からゴミや塵、埃等の異物が入り込むという問題が起こる場合が想定される。そのため、図２に図示のように、弾性部材４の折曲片４ｄと図１の電池ケース内部部材３の凸形状部３ａとの間にシート部材５を配置することで防塵効果を得ることができる。
【００１９】
なお、ここでは弾性部材として板バネを使用したが、ゴム・プラスチック部材等であっても問題ないことは言うまでもない。
【００２０】
以上説明したように、本発明の電池蓋機構は弾性部材４によって電池蓋１の回動軸１ａを電池ケース外形部材２の回動ガイド形状部２ａに圧着させることにより、回動時の保持を行い適度な開閉トルクを得ると共に、開閉時の不意の脱落を防ぎ且つ、電池蓋１の回動軸１ａの着脱時には適度なクリック感を持たせられる電池蓋機構が得られる。
【図面の簡単な説明】
【００２１】
【図１】本発明における電池蓋機構の組み立て斜視図である。
【図２】本発明における電池蓋機構のシート部材が装着された様子を示した斜視図である。
【図３】本発明における電池蓋機構の回動軸の位置を示した断面図である。
【図４】従来の電池蓋機構の構成を示す断面図である。
【図５】従来の電池蓋機構の構成を示す斜視図である。
【符号の説明】
【００２２】
１  電池蓋
２  電池ケース外形部材
３  電池ケース内部部材
４  弾性部材
５  シート部材
６  ビス
【図１】
2008027637.tif 000003
【図２】
2008027637.tif 000004
【図３】
2008027637.tif 000005
【図４】
2008027637.tif 000006
【図５】
2008027637.tif 000007